(57)【要約】【課題】可変抵抗を用いることなく画面上下方向のミスコンバージェンスを補正することができる偏向ヨークを提供することを目的とする。【解決手段】一対の水平偏向コイルと、一対の垂直偏向コイルを有する偏向ヨークであって、画面の垂直軸上の縦方向ミスコンバージェンスを補正する一対のＹＶコイル２ａ、２ｂを左右方向へ移動可能とした。片側のＹＶコイル２ａのＣＲＴ中心からの距離１８をもう一方のＹＶコイル２ｂのＣＲＴ中心からの距離１７より小さくすることで青色電子ビーム７の受ける力９より、赤色電子ビーム８の受ける力１０を大きくすることができる。逆に距離１７を距離１８より小さくして、青色電子ビーム７の受ける力９を赤色電子ビーム８の受ける力１０よりも大きくすることができる。【選択図】　図１
2004127797.tif 000002
【特許請求の範囲】
【請求項１】
一対の水平偏向コイルと、一対の垂直偏向コイルを有する偏向ヨークであって、画面の垂直軸上の縦方向ミスコンバージェンスを補正する一対のコイルの少なくとも何れか一方を左右方向へ移動可能としたことを特徴とする偏向ヨーク。
【発明の詳細な説明】
【０００１】
【発明の属する技術分野】
本発明は、テレビジョン受像機やコンピュータディスプレイモニタ等に使用される偏向ヨークに関するものである。
【０００２】
【従来の技術】
テレビジョン受像機およびコンピュータディスプレイモニタ等に使用される偏向ヨークは一対の水平偏向コイルと一対の垂直偏向コイルを有するが、各偏向コイルは左右及び上下に対称に配置されており、それらの作る偏向磁界は左右、上下対称な形状となるようにされているが、実際には、コイル自身の巻線成形時のバラツキ及び、偏向ヨーク組み立て時の取り付けバラツキにより偏向コイルの作る磁界が左右、上下に対称とならない場合があり、さらに偏向ヨークを取り付けるブラウン管（ＣＲＴ）の電子銃取り付けバラツキにより電子銃より射出される電子ビームが偏向ヨークの作る偏向磁界の中心を通らない様な状況が生じ、画面上下軸上にミスコンバージェンスが生じる場合がある。このようなミスコンバージェンス軽減の手段として、偏向ヨークネック側後端に一対のコイルを設け、このコイルに流れる電流の強さに変化をつけることにより画面上下軸上の縦方向ミスコンバージェンスを軽減させている（例えば、特許文献１参照）。
【０００３】
図８は従来の偏向ヨークの斜視図である。図中の１は偏向ヨーク本体、２は画面上下軸上のミスコンバージェンスを補正する一対のコイル（以下ＹＶコイルという）を示している。
【０００４】
図９、図１０は従来の偏向ヨークの断面図、図１１、図１２は従来のミスコンバージェンス図である。図９において、３は垂直偏向コイル、４は水平偏向コイル、５はＣＲＴのガラス管、６は垂直偏向磁界、７は青色電子ビーム、８は赤色電子ビーム、９は青色電子ビーム７が垂直偏向磁界から受ける力、１０は赤色電子ビーム８が垂直偏向磁界から受ける力を示している。
【０００５】
図９に示すように理想的な偏向ヨークでは垂直偏向磁界は左右対称であるので、青色電子ビーム９が垂直偏向磁界から受ける力と、赤色電子ビーム１０が垂直偏向磁界から受ける力は同一になるが、実際の偏向ヨークでは図１０に示すように垂直偏向磁界が左右対称とならないために、青色電子ビームが垂直偏向磁界から受ける力と、赤色電子ビームが垂直偏向磁界から受ける力は同一にならない。図１０では１０の赤色電子ビームが受ける力の方が大きくなっており、この場合には図１１に示すようなミスコンバージェンスが発生する。図１１の１１は赤色電子ビームの輝線、１２は青色電子ビームの輝線を表している。
【０００６】
図１３、図１４、図１５は従来のＹＶコイル結線図、図１６、図１７、図１８は従来のＹＶコイルの磁力線図である。従来の偏向ヨークでは図１１に示すようなミスコンバージェンスを補正するためにＹＶコイルを取り付けているが、一対のＹＶコイルは図１３または図１４のように抵抗１５、１６と可変抵抗１４と結線されており、ＹＶコイル２ａと２ｂに流れる電流に差をつけられるようにしている可変抵抗１４がセンター位置にあるときは、図１６に示すようにＹＶコイル２ａ、２ｂの作る磁力線６ｂは左右対称であり、この磁力線から青色電子ビーム７が受ける力９と赤色電子ビーム８が受ける力１０は同じ強さであるが、可変抵抗１４を動かすことで図１７のように赤色電子ビームの受ける力１０を青色より強くしたり、図１８のように青色の方を強くしたりできる。
【０００７】
このＹＶコイルによる赤色、青色電子ビームの受ける力の差を図１０に示した垂直偏向磁界の非対称成分を打ち消す方向にすることで図１１に示したミスコンバージェンスは図１２のように修正される。図１２の１３は青色電子ビームの輝線と赤色電子ビームの輝線が重なった線を表している。
【０００８】
【特許文献１】
特開昭６３−３０８４９１号公報
【０００９】
【発明が解決しようとする課題】
しかしながら従来のＹＶコイルは可変抵抗を使用しているため、可変抵抗を動かすことで全体の抵抗値が変化し、偏向の振幅やリニアリティが変化するという問題を有していた。
【００１０】
そこで本発明は、可変抵抗を用いることなく画面上下方向のミスコンバージェンスを補正することができる偏向ヨークを提供することを目的とする。
【００１１】
【課題を解決するための手段】
この目的を達成するために、本発明の偏向ヨークは、一対の水平偏向コイルと、一対の垂直偏向コイルを有する偏向ヨークであって、画面の垂直軸上の縦方向ミスコンバージェンスを補正する一対のコイルを左右方向へ移動可能とした。
【００１２】
本発明は上記構成によって、可変抵抗を用いることなく画面上下方向のミスコンバージェンスを補正することができる偏向ヨークを提供できる。
【００１３】
【発明の実施の形態】
請求項１の発明は、一対の水平偏向コイルと、一対の垂直偏向コイルを有する偏向ヨークであって、画面の垂直軸上の縦方向ミスコンバージェンスを補正する一対のコイルの少なくとも何れか一方を左右方向へ移動可能とした。
【００１４】
本発明によれば、可変抵抗を用いることなく画面上下方向のミスコンバージェンスを補正することができる偏向ヨークを提供できる。
【００１５】
（実施の形態１）
図１、図２、図３は本発明の実施の形態１におけるＹＶコイルの動作を表す図である。一対のＹＶコイルのＣＲＴ中心からの距離を同一にした場合、図１に示すように青色電子ビーム７の受ける力９と赤色電子ビーム８の受ける力１０は同一になる。ＹＶコイル２ａ、２ｂは、同時に左右方向へ移動可能となっている。
【００１６】
図２に示すように片側のＹＶコイル２ａのＣＲＴ中心からの距離１８をもう一方のＹＶコイル２ｂのＣＲＴ中心からの距離１７より小さくすることで青色電子ビーム７の受ける力９より、赤色電子ビーム８の受ける力１０を大きくすることができる。
【００１７】
図３は逆に距離１７を距離１８より小さくして、青色電子ビーム７の受ける力９を赤色電子ビーム８の受ける力１０よりも大きくするようにしたものである。図４は本発明の実施の形態１におけるＹＶコイルの取付図である。ＹＶコイルは図４のように取り付けることで上記調整を可能としている。ＹＶコイル２は移動可能な保持板１９に取り付けられており、保持板１９は偏向ヨークネック部に設けられた嵌合リブ２０によって取り付けられている。また保持板１９を偏向ヨークのＸ軸方向へスライドさせることで、一対のＹＶコイルを同時に同方向へ移動させることができる。
【００１８】
（実施の形態２）
図５、図６、図７は本発明の実施の形態２におけるＹＶコイルの取付図である。実施の形態１では、１対のＹＶコイル２ａ、２ｂを同時に左右方向へ移動させるものであったが、図５、図６に示すように一対のＹＶコイル２ａ、２ｂのいずれか一方を移動することでも同様の効果を得ることができる。
【００１９】
図７はこの一例で、ＹＶコイル２はＴ字型のリブ２２を有し、偏向ヨークネック部に設けられた溝部２１に取付けられている。ＹＶコイルは溝部２１に沿っての移動が可能となっている。
【００２０】
【発明の効果】
以上の様に本発明では、可変抵抗を用いることなく画面上下方向のミスコンバージェンスを補正することができるので、ミスコンバージェンス補正時に偏向ヨーク全体の抵抗値が変化することなく、振幅変化やリニアリティー変化のない偏向ヨークを提供できる。
【図面の簡単な説明】
【図１】本発明の実施の形態１におけるＹＶコイルの動作を表す図
【図２】本発明の実施の形態１におけるＹＶコイルの動作を表す図
【図３】本発明の実施の形態１におけるＹＶコイルの動作を表す図
【図４】本発明の実施の形態１におけるＹＶコイルの取付図
【図５】本発明の実施の形態２におけるＹＶコイルの取付図
【図６】本発明の実施の形態２におけるＹＶコイルの取付図
【図７】本発明の実施の形態２におけるＹＶコイルの取付図
【図８】従来の偏向ヨークの斜視図
【図９】従来の偏向ヨークの断面図
【図１０】従来の偏向ヨークの断面図
【図１１】従来のミスコンバージェンス図
【図１２】従来のミスコンバージェンス図
【図１３】従来のＹＶコイル結線図
【図１４】従来のＹＶコイル結線図
【図１５】従来のＹＶコイル結線図
【図１６】従来のＹＶコイルの磁力線図
【図１７】従来のＹＶコイルの磁力線図
【図１８】従来のＹＶコイルの磁力線図
【符号の説明】
２、２ａ、２ｂ　ＹＶコイル
１９　保持板
２０　嵌合リブ
２１　溝部
２２　リブ
【図１】
2004127797.tif 000003
【図２】
2004127797.tif 000004
【図３】
2004127797.tif 000005
【図４】
2004127797.tif 000006
【図５】
2004127797.tif 000007
【図６】
2004127797.tif 000008
【図７】
2004127797.tif 000009
【図８】
2004127797.tif 000010
【図９】
2004127797.tif 000011
【図１０】
2004127797.tif 000012
【図１１】
2004127797.tif 000013
【図１２】
2004127797.tif 000014
【図１３】
2004127797.tif 000015
【図１４】
2004127797.tif 000016
【図１５】
2004127797.tif 000017
【図１６】
2004127797.tif 000018
【図１７】
2004127797.tif 000019
【図１８】
2004127797.tif 000020